(57)【要約】    【課題】      特別な手続きや個人認証カードや出席許可カードを必要とせずに容易に出席確認を行うことができる出席管理システムを提供すること。    【解決手段】  撮影可能な識別情報を有する机１０３と、カメラ機能付きの携帯電話装置１０２と、携帯電話装置１０２から送信される、机１０３の識別情報と携帯電話装置１０２の識別情報とに基づいて、出席確認を行うセンター装置１０１とを設けたことにより、机の識別情報と携帯電話の識別情報により、どの生徒（携帯電話）がどの授業（机）に出ているかを確認できるので、容易に出席確認を行うことができる出席管理システム１００を実現できる。  【選択図】      図１
2005301757.tif 000002
【特許請求の範囲】
【請求項１】
撮影可能な識別情報を有する机と、
カメラ機能付きの携帯電話と、
前記携帯電話から送信される、前記机の識別情報と前記携帯電話の識別情報とに基づいて、出席確認を行うセンター装置と
を具備することを特徴とする出席管理システム。
【請求項２】
前記センター装置は、前記机の識別情報と前記携帯電話の識別情報とに加えて、前記携帯電話が接続された構内網のタグに基づいて、出席を確認する
ことを特徴とする請求項１に記載の出席管理システム。
【請求項３】
前記センター装置は、
生徒の識別情報と、各生徒の携帯電話の識別情報と、各生徒が履修する授業の識別情報とをもつ生徒データベースと、
授業の識別情報と、授業の開始及び終了時間と、授業の行われる教室の情報とをもつ授業データベースと、
机の識別情報と、机の設置された教室や教室内の机の位置情報とをもつ机位置情報データベースと、
前記携帯電話から送信される、前記机の識別情報と前記携帯電話の識別情報とを使って、前記各データベースから、生徒の出席している授業とその生徒が履修すべき授業とを獲得し、これらを対比することでその生徒の出席を確認する出席管理アプリケーションと
を具備することを特徴とする請求項１又は請求項２に記載の出席管理システム。
【請求項４】
前記携帯電話から、前記机の識別情報と前記携帯電話の識別情報とに加えて、顔写真を送信し、
前記センター装置は、前記机の識別情報と前記携帯電話の識別情報とに加えて、予め登録された生徒の顔写真と前記送信された顔写真とに基づいて、出席確認を行う
ことを特徴とする請求項１に記載の出席管理システム。
【請求項５】
前記携帯電話から、前記机の識別情報と前記携帯電話の識別情報とに加えて、教室内の画像を送信する
ことを特徴とする請求項１に記載の出席管理システム。
【請求項６】
前記センター装置は、出席を確認した前記携帯電話の受信及び発信を制限する携帯電話遠隔操作手段を具備する
ことを特徴とする請求項１に記載の出席管理システム。
【請求項７】
携帯電話と、
前記携帯電話を装填するクレドールと、
前記クレドールと接続され、前記クレドールから送信される、クレドールの識別情報と前記携帯電話の識別情報とに基づいて、出席確認を行うセンター装置と
を具備することを特徴とする出席管理システム。
【発明の詳細な説明】
【技術分野】
【０００１】
本発明は、点呼等を必要とせずに電子的に出席を確認する技術に関する。
【背景技術】
【０００２】
従来、例えば大学の講義において、教師は授業毎に点呼していた。そのために膨大な時間が消費され、講義の時間の減少を招いていた。
【０００３】
これらを考慮して、電子的に出席を確認する装置が提案されている（例えば特許文献１、２参照）。この種の出席管理装置においては、出席者の名前あるいは前もって決められたコードを、コンピュータ等のキーボードやマウス等を使って、本人の名前を選択し登録する。そして管理者が本人を確認して出席装置に記録する。
【特許文献１】特開２００２−２６１９６９号公報
【特許文献２】特開２００２−３６６９９５号公報
【発明の開示】
【発明が解決しようとする課題】
【０００４】
しかしながら、従来の出席管理装置においては、個人情報をバーコードに印刷した何らかの印刷物または個人情報を格納した電子媒体を携帯して、出席管理装置に読み込ます必要があった。このため、教室毎に専用の装置が必要となり、全教室にシステム化するのに多大の費用がかかった。
【０００５】
また、出席資格の無い者の出席や代理の出席確認、出席確認が行われた後の途中出席や出席確認が行われた後の中途退席に対して、配慮がされていなかった。
【０００６】
本発明はかかる点に鑑みてなされたものであり、特別な手続きや個人認証カードや出席許可カードを必要とせずに容易に出席確認を行うことができる出席管理システムを提供することを目的とする。
【課題を解決するための手段】
【０００７】
かかる課題を解決するため本発明は、撮影可能な識別情報を有する机と、カメラ機能付きの携帯電話と、携帯電話から送信される、机の識別情報と携帯電話の識別情報とに基づいて、出席確認を行うセンター装置とを設けるようにした。これにより、センター装置では、机の識別情報と携帯電話の識別情報により、どの生徒（携帯電話）がどの授業（机）に出ているかを確認できるので、容易に出席確認を行うことができる。
【発明の効果】
【０００８】
このように本発明によれば、特別な手続きや個人認証カードや出席許可カードを必要とせずに容易に出席確認を行うことができる出席管理システムを実現できる。
【発明を実施するための最良の形態】
【０００９】
以下、本発明の実施の形態について図面を参照して詳細に説明する。
【００１０】
図１に、実施の形態に係る出席管理システムの全体構成を示す。出席管理システム１００は、教師が使うセンター装置１０１と、生徒が使う携帯電話装置１０２と、識別可能なＩＤ（識別情報）を持つ机１０３と、携帯電話の通信に使われる構内網１０４と、構内網１０４とセンター装置１０１を接続する構内通信制御装置１０５とを有する。
【００１１】
図２に、センター装置１０１の詳細構成例を示す。センター装置１０１は、センター装置全体を管理するセンター装置管理部２０１と、教師からの指示をセンター装置管理部２０１に伝えるセンター装置ＧＵＩ２０２と、通信デバイス２０６を使って外部の構内通信制御装置１０５との通信を制御する通信制御部２０３と、出席の管理を行う出席管理アプリケーション２０４と、生徒の携帯電話装置１０２をセンター装置１０１側から操作できる携帯電話遠隔操作アプリケーション２０５と、生徒のＩＤと各生徒の携帯電話装置１０２のＩＤと各生徒が履修する授業ＩＤとを持ち出席した授業ＩＤを登録できる生徒データベース２０７と、授業につけられた授業ＩＤと授業の開始及び終了時間と授業の行われる教室の情報とを持ち出席している生徒のＩＤを登録できる授業データベース２０８と、机のＩＤと机の設置された教室や教室内の机の位置を持ち現在の机の占有情報と占有する生徒のＩＤとを登録できる机位置情報データベース２０９とを有する。
【００１２】
図３に、携帯電話装置１０２の詳細構成例を示す。携帯電話装置１０２は、携帯電話を管理する携帯電話管理部３０１と、ユーザの指示を携帯電話管理部３０１に伝える携帯電話ＧＵＩ３０２と、携帯電話デバイス３０６を使って携帯電話の機能を管理する携帯電話機能制御部３０３と、机ＩＤを読み取るための机ＩＤ読み取り用デバイス３０７と、読み取られた机ＩＤを通知するための出席通知アプリケーション３０４と、構内通信デバイス３０８を使って構内通信を管理する構内通信制御部３０５とを有する。
【００１３】
次に、出席確認時の動作を図１、図２、図３を使って説明する。一例として、構内網１０４として無線ＬＡＮ網、携帯電話装置１０２のＩＤとして携帯電話の電話番号、机１０３のＩＤをバーコード、として説明を行う。
【００１４】
生徒は、出席確認を行うときに、授業の行われている教室内で、携帯電話装置１０２の携帯電話ＧＵＩ３０２を使って、携帯電話管理部３０１を通して、出席通知アプリケーション３０４を起動する。
【００１５】
起動された出席通知アプリケーション３０４は、机ＩＤ読み取り用デバイス３０７を使って机１０３のＩＤを認識すると共に、携帯電話デバイス３０６から携帯電話のＩＤ（電話番号）を獲得する。
【００１６】
出席通知アプリケーション３０４は、出席通知として、得られた机１０３のＩＤと携帯電話装置１０２のＩＤを１組のデータとして、構内通信制御部３０５を使って、構内網（無線ＬＡＮ網）１０４を経由して、構内通信制御装置１０５に送る。
【００１７】
構内通信制御装置１０５は、送られた机１０３のＩＤと携帯電話装置１０２のＩＤのデータに、構内通信に使われた無線ＬＡＮのＥＳＳＩＤ（Extended Service Set ID）を付けて、センター装置１０１に送る。
【００１８】
センター装置１０１は、送られた机１０３のＩＤと携帯電話装置１０２のＩＤのデータとＥＳＳＩＤとを、通信デバイス２０６を使って通信制御部２０３で受けて、ＥＳＳＩＤが構内の無線ＬＡＮから発信されたものであれば、机１０３のＩＤと携帯電話のＩＤのデータを出席管理アプリケーション２０４に送る。
【００１９】
通信制御部２０３は、ＥＳＳＩＤが構内の無線ＬＡＮのものでなければ、データを破棄する。このことで、外部のネットワークからデータを送って出席確認をすることが不可能となり、不正な出席を防止できる。
【００２０】
出席管理アプリケーション２０４は、受信した机１０３のＩＤと携帯電話装置１０２のＩＤのうち、机１０３のＩＤからは、机位置情報データベース２０９を検索して、机の置かれている教室と教室内の机の位置情報を獲得し、獲得した教室と現在時間から授業データベース２０８を検索して授業ＩＤ１を獲得する。一方、携帯電話装置１０２のＩＤと現在時間から、生徒データベース２０７を検索し、履修する授業ＩＤ２を獲得する。
【００２１】
机１０３のＩＤから獲得した授業ＩＤ１と携帯電話装置１０２のＩＤから獲得した授業ＩＤ２とが一致すれば、出席すべき授業に出ていると判断し、生徒データベース２０７に出席授業ＩＤを追加し、机位置情報データベース２０９の占有状態を正常に変更し占有する生徒ＩＤを登録し、授業データベース２０８に生徒ＩＤを追加する。
【００２２】
一方、携帯電話装置１０２のＩＤが存在しなかったり、携帯電話装置１０２のＩＤから獲得した教室情報と机のＩＤから獲得した教室ＩＤが一致しなければ、机位置情報データベース２０９の占有状態を異常とする。
【００２３】
図４を用いて、本実施の形態の全体の動作を説明する。
【００２４】
先ず携帯電話装置１０２が出席通知アプリケーション３０４を起動し（Ｓ１１１）、机ＩＤ読み取り用デバイス３０７によって机１０３に設けられたバーコードを読み取り（Ｓ１１２）、携帯電話デバイス３０６から携帯電話番号を取得し（Ｓ１１３）、構内通信制御部３０５及び構内通信デバイス３０８を使って机ＩＤと携帯電話番号を送信する（Ｓ１１４）。
【００２５】
構内通信制御装置１０５は、この机ＩＤと携帯電話番号を受信（Ｓ１２１）した後、構内網１０４から構内通信に使われた無線ＬＡＮのＥＳＳＩＤを取得し（Ｓ１２２）、机ＩＤと携帯電話番号とＥＳＳＩＤとをセンター装置１０１に送信する（Ｓ１２３）。
【００２６】
センター装置１０１は、机ＩＤと携帯電話番号とＥＳＳＩＤとを受信（Ｓ１３１）した後、ＥＳＳＩＤをチェックし（Ｓ１３２）、構内のＥＳＳＩＤでなければ処理を終了し構内のＥＳＳＩＤであれば、机位置情報データベース２０９を受信した机ＩＤで検索することにより教室ＩＤを獲得する（Ｓ１３３）。次にセンター装置１０１は、授業データベース２０８を教室ＩＤと現在時間で検索することにより授業ＩＤ１を獲得し（Ｓ１３４）、生徒データベース２０７を携帯電話番号と現在時間で検索することにより授業ＩＤ２を獲得する（Ｓ１３５）。
【００２７】
次にセンター装置１０１は、授業ＩＤ１と授業ＩＤ２とを比較し（Ｓ１３６）、不一致の場合には、机位置情報データベース２０９の状態を異常にし（Ｓ１３９）、ＮＧのデータを作成する（Ｓ１４０）。これに対して、授業ＩＤ１と授業ＩＤ２が一致した場合には、生徒データベース２０７に出席授業ＩＤを追加すると共に机位置情報データベースの状態を出席にして生徒ＩＤを登録し、かつ授業データベース２０８に生徒ＩＤを追加する（Ｓ１３７）。そしてＯＫの応答データを作成する（Ｓ１３８）。そしてセンター装置１０１は、ステップＳ１４０において応答データを送信する。
【００２８】
構内通信制御装置１０５は、応答データを受信する（Ｓ１２４）と、これを携帯電話装置１０２に送信し（Ｓ１２５）、携帯電話装置１０２はこの応答データを受信する（Ｓ１１５）。これにより、携帯電話装置１０２のユーザは自分が出席したと認められたか否かを知ることができる。
【００２９】
かくして本実施の形態によれば、撮影可能な識別情報を有する机１０３と、カメラ機能付きの携帯電話装置１０２と、携帯電話装置１０２から送信される、机１０３の識別情報と携帯電話装置１０２の識別情報とに基づいて、出席確認を行うセンター装置１０１とを設けたことにより、机の識別情報と携帯電話の識別情報により、どの生徒（携帯電話）がどの授業（机）に出ているかを確認できるので、容易に出席確認を行うことができる出席管理システム１００を実現できる。
【００３０】
またセンター装置１０１によって、机の識別情報と携帯電話の識別情報とに加えて、携帯電話が接続された構内網のタグ（ＥＳＳＩＤ）に基づいて、出席を確認するようにしたことにより、外部のネットワークからデータを送って不正な出席をとることを防止でき、一段と出席確認の信頼性を向上させることができるようになる。
【００３１】
またセンター装置１０１を、生徒の識別情報と各生徒の携帯電話の識別情報と各生徒が履修する授業の識別情報とをもつ生徒データベース２０７と、授業の識別情報と授業の開始及び終了時間と授業の行われる教室の情報とをもつ授業データベース２０８と、机の識別情報と机の設置された教室や教室内の机の位置情報とをもつ机位置情報データベース２０９と、携帯電話から送信される、机の識別情報と携帯電話の識別情報とを使って、各データベースから、生徒の出席している授業とその生徒が履修すべき授業とを獲得し、これらを対比することでその生徒の出席を確認する出席管理アプリケーション２０４とを有する構成としたことにより、携帯電話から送信される、机の識別情報と携帯電話の識別情報とに基づいて、厳密な出席確認を行うことができるようになる。
【００３２】
また本実施の形態の構成によれば、教師は、机位置情報データベース２０９の教室に置かれている机１０３の位置情報と占有状態と占有する生徒ＩＤとをセンター装置ＧＵＩ２０２を使って、教室内にある机１０３の配置に従って表示させることにより、出席状態を一目で把握できるようになる。図５に表示例を示す。
【００３３】
なお本発明は上述した実施の形態に限らず、以下のように種々変更して実施することができる。
【００３４】
１）  上述した実施の形態では、構内網１０４として無線ＬＡＮを用いる場合について説明したが、これに限らず、構内ＰＨＳ網や構内携帯電話網、構内有線配線を用いた場合でも同様の効果を得ることができる。
【００３５】
２）  上述した実施の形態では、携帯電話のＩＤとして携帯電話の電話番号を用いる場合について説明したが、これに限らず、携帯電話のＳＩＭ情報やＩＣカードに登録された学生ＩＤを用いた場合でも同様の効果を得ることができる。
【００３６】
３）  上述した実施の形態では、机１０３のＩＤとしてバーコードを用いる場合について説明したが、これに限らず、ＲＦＩＤを用いた場合でも同様の効果を得ることができる。
【００３７】
４）  上述した実施の形態では、携帯電話装置１０２によって机のＩＤと携帯電話のＩＤを構内通信制御装置１０５に送信する場合について説明したが、これに加えて、生徒本人の顔写真を撮影したデータを一緒に送るようにしてもよい。そして机位置情報データベース２０９に生徒本人の写真を登録し、教師が机位置情報データベース２０９を見る時に出席している生徒の顔写真を表示させることにより、代理人による出席確認を防ぐことができる。
【００３８】
５）  ４）のように顔写真データを送る場合、生徒データベース２０７に写真データを登録しておいて、この写真データと携帯電話装置１０２から出席通知された顔写真との一致不一致を、出席管理アプリケーション２０４の画像認識アプリケーションで判定することにより、教師の生徒の確認の時間を省くことができる。
【００３９】
６）  ４）のように顔写真データを送る場合、出席確認時に送られる生徒の顔写真を履歴として生徒データベース２０７に保存することにより、最初に生徒データベース２０７に登録された時の写真からの時間を経ることによる顔の変化に対応することができる。
【００４０】
７）  上述した実施の形態では、携帯電話装置１０２によって机のＩＤと携帯電話のＩＤを構内通信制御装置１０５に送信する場合について説明したが、これに加えて、出席通知時に、書かれている黒板の字やＯＨＰなどのその授業でしか存在しない画像を同時に送ることにより、蓄積されたデータを使った出席のなりすましを防ぐことができる。
【００４１】
８）  ７）において、出席確認時に特定される机の位置情報から、撮影される距離と角度を計算し、出席通知時に書かれている黒板の字やＯＨＰなどの画像データと、変形状態とを比較することにより、その机から撮影されたデータであることの特定を可能とすることができ、一段と信頼性のある出席管理を実現することができる。
【００４２】
９）  ４）と７）において、２つのカメラを持つ携帯電話を使うことにより、生徒本人の顔と書かれている黒板の字やＯＨＰなどのその授業でしか存在しない画像を同時に撮影して、１つのデータに合成して構内通信制御装置１０５に送ることにより、出席確認の精度を上げ、一段と信頼性のある出席管理を実現することができる。
【００４３】
１０）  上述した実施の形態において、教師が、センター装置ＧＵＩ２０２を使って、携帯電話遠隔操作アプリケーション２０５を起動して、机位置情報データベース２０９の出席している生徒のＩＤを獲得することにより、出席している生徒の携帯電話だけの受信及び発信と、メールの受信及び発信とを制限することができる。
【００４４】
１１）  上述した実施の形態において、教師が、センター装置ＧＵＩ２０２を使って、携帯電話遠隔操作アプリケーション２０５を起動して、机位置情報データベース２０９の出席している生徒のＩＤを獲得することにより、出席している生徒の携帯電話のカメラ機能を使った生徒の確認ことができる。
【００４５】
１２）  上述した実施の形態では、識別可能なＩＤを持つ机１０３を設けた場合について説明したが、識別可能なＩＤを持つ机１０３の代わりに、図６に示すように、構内網１０４に接続されており、電源供給可能で固有のＩＤを持つクレドール装置１０６と、クレドール装置１０６に電源を供給する電源供給装置１０７を設けた構成としてもよい。この構成により、携帯電話の電池切れによる、出席システムの動作不能を回避することができる。また、実施の形態における説明の机１０３のＩＤをクレドール装置１０６の持つ固有ＩＤに、センター装置１０１の机位置情報データベース２０９をクレドールデータベースに変更することにより、実施の形態と同様の効果を得ることができる。
【００４６】
１３）  １２）の構成において、構内通信制御装置１０５に、クレドール装置１０６に携帯電話装置１０２が置かれたかどうかを検知するクレドール状態監視アプリケーションを設けることにより、携帯電話装置１０２がクレドール装置１０６に置かれた時に、実施の形態と同様の出席確認を行い、携帯電話装置１０２がクレドール装置１０６から離された時に、退席を確認することができる。
【００４７】
ここで図６に示す構成の出席管理システムの動作を、図７を用いて説明する。
【００４８】
構内通信制御装置１０５は、先ずクレドール装置１０６の状態をチェックし（Ｓ２２１）、携帯電話装置１０２がクレドール装置１０６に置かれていると判断した場合には、クレドール装置１０６に携帯電話装置１０２が置かれたことをクレドールのＩＤと共にセンター装置１０１に通知する（Ｓ２２２）。
【００４９】
センター装置１０１は、携帯電話装置１０２がクレドール装置１０６に置かれたことを受信する（Ｓ３３１）と、携帯電話遠隔操作がクレドール装置１０６宛てに出席処理の指示を送信する（Ｓ３３２）。この指示は、構内通信制御装置１０５を介して（Ｓ２２３）クレドール装置１０６に送られる。
【００５０】
クレドール装置１０６は、出席通知遠隔指示を受信すると出席通知処理を開始し（Ｓ２０１）、携帯電話装置１０２から携帯電話番号を取得し（Ｓ２０２）、クレドールＩＤと携帯電話番号を送信する（Ｓ２０３）。このクレドールＩＤと携帯電話番号は、構内通信制御装置１０５を介して（Ｓ２２４）センター装置１０１に送られる。
【００５１】
センター装置１０１は、クレドールＩＤと携帯電話番号を受信する（Ｓ３３３）と、先ずクレドールデータベースをクレドールＩＤで検索し教室ＩＤを獲得する（Ｓ３３４）。次にセンター装置１０１は、授業データベースを教室ＩＤと現在時間で検索することにより授業ＩＤ１を獲得し（Ｓ３３５）、生徒データベースを携帯電話番号と現在時間で検索することにより授業ＩＤ２を獲得する（Ｓ３３６）。
【００５２】
次にセンター装置１０１は、授業ＩＤ１と授業ＩＤ２とを比較し（Ｓ３３７）、不一致の場合には、机位置情報データベースの状態を異常にする（Ｓ３３９）。これに対して、授業ＩＤ１と授業ＩＤ２が一致した場合には、生徒データベースに出席授業ＩＤを追加すると共にクレドールデータベースの状態を出席にして生徒ＩＤを登録し、かつ授業データベースに生徒ＩＤを追加する（Ｓ３３８）。
【産業上の利用可能性】
【００５３】
本発明は、特別な手続きや個人認証カードや出席許可カードを必要とせずに出席確認を行うことができるという効果を有し、例えば学校での生徒の出席確認を行う場合に適用して好適である。
【図面の簡単な説明】
【００５４】
【図１】本発明の実施の形態に係る出席管理システムの構成を示す図
【図２】センター装置の構成例を示すブロック図
【図３】携帯電話装置の構成例を示すブロック図
【図４】実施の形態の動作の説明に供するフローチャート
【図５】実施の形態による出席状態の表示例を示す図
【図６】他の実施の形態の出席管理システムの構成を示す図
【図７】図６の出席管理システムの動作の説明に供するフローチャート
【符号の説明】
【００５５】
１００  出席管理システム
１０１  センター装置
１０２  携帯電話装置
１０３  机
１０４  構内網
１０５  構内通信制御装置
１０７  電源供給装置
２０１  センター装置管理部
２０２  センター装置ＧＵＩ
２０３  通信制御部
２０４  出席管理アプリケーション
２０５  携帯電話遠隔操作アプリケーション
２０６  通信デバイス
２０７  生徒データベース
２０８  授業データベース
２０９  机位置情報データベース
３０１  携帯電話管理部
３０２  携帯電話ＧＵＩ
３０３  携帯電話機能制御部
３０４  出席通知アプリケーション
３０５  構内通信制御部
３０６  携帯電話デバイス
３０７  机ＩＤ読み取り用デバイス
１０６  クレドール装置
【図１】
2005301757.tif 000003
【図２】
2005301757.tif 000004
【図３】
2005301757.tif 000005
【図４】
2005301757.tif 000006
【図５】
2005301757.tif 000007
【図６】
2005301757.tif 000008
【図７】
2005301757.tif 000009